(57)【要約】【課題】  受像装置側からの簡便な操作により即時録画を行うことができる録画システムを提供すること。【解決手段】  受像装置２００と録画装置３００とからなる受像録画システム１００であって、受像装置本体２０１もしくはリモコン２０２に配設されたスイッチを押下することにより、録画装置３００の保存装置３１３が、受像装置２００の表示部２１２で視聴中の番組を即時録画する。その際に、制御手段が録画装置３００を制御して、スイッチの押下時以降の番組の録画領域を上書き禁止とする。【選択図】図１
2010171996.tif 000002
【特許請求の範囲】
【請求項１】
番組を受像し表示する受像装置と、番組を録画する録画装置と、前記受像装置および録画装置のうち少なくとも該録画装置を制御する制御手段と、を有する録画システムにおいて、
前記録画装置は、常時録画が可能な録画装置であって、
前記制御手段は、前記受像装置側のリモコンのボタンが押下された場合に、前記録画装置を制御して、前記ボタンの押下時以降の前記番組の録画領域を上書き禁止とする
ことを特徴とする録画システム。
【請求項２】
さらに、番組が同一番組であるか否かを識別する識別手段を有し、
前記制御手段は、前記ボタンの押下があった場合に、前記録画装置を制御して、前記識別手段により同一番組であると識別された番組の番組頭から当該番組終了までの録画領域を上書き禁止とする
ことを特徴とする請求項１に記載の録画システム。
【請求項３】
前記制御手段は、前記上書き禁止とされた録画領域において、番組の中途に挿入されるコマーシャルを上書き可能領域に設定する
ことを特徴とする請求項２に記載の録画システム。
【発明の詳細な説明】
【技術分野】
【０００１】
本発明は、放送される映像や音声を含む番組を受像（受信）する受像装置と、番組をハードディスクや、ＤＶＤ等に録画する録画装置と、からなる録画システムに関する。
【背景技術】
【０００２】
従来、テレビ等の受像装置で視聴中の番組を録画したいと思ったときは、ビデオデッキなどの録画装置で録画を行うことができた。また、利便性を向上すべく録画装置側のリモコンで録画設定を行い、番組録画を行うことができた。
一方、ビデオデッキ内蔵型テレビも知られており、当該装置では、いわゆるワンタッチ録画を行う機能を備え、また、単一のリモコンにより録画設定を行うこともでき、さらに利便性が向上していた。
【発明の概要】
【発明が解決しようとする課題】
【０００３】
しかしながら、従来の技術では以下の問題点があった。すなわち、テレビを視聴中に急に録画したい番組内容（コンテンツ）が放送された場合には、ビデオデッキの電源を投入し、チャネル設定を行い、録画開始ボタンなどを押下する等の一連の作業が必要であり、録画チャンスを逃し、即時録画ができないという問題点があった。
【０００４】
また、リモコンを用いて録画設定をすることができるとはいえ、この録画設定が行われるのは、録画装置側のリモコンのみによってであり、受像装置側のリモコンで録画設定を行えるものはなかった。
【０００５】
また、ビデオデッキ内蔵型テレビでは、単一装置の構成を採るので、即時録画を行い、リモコンによる録画設定も行えるが、故障周期の違い、装置重量の増大、拡張性等の問題点があった。
【０００６】
また、特開平１１−１７９７９号公報の「遠隔送信機を用いた放送プログラム予約録画装置」では、テレビ等の電源を投入することなく、放送プログラムの予約録画を設定できるようにしたリモコンに関するものであり、本発明とは関係がない。
【０００７】
本発明は上記に鑑みてなされたものであって、受像装置および録画装置が別々に構成されている場合であっても、受像装置側からの簡便な操作により即時録画を行うことができる録画システムを提供することを目的とする。
【課題を解決するための手段】
【０００８】
上述した課題を解決し、目的を達成するために、本発明は、番組を受像し表示する受像装置と、番組を録画する録画装置と、前記受像装置および録画装置のうち少なくとも該録画装置を制御する制御手段と、を有する録画システムにおいて、前記録画装置は、常時録画が可能な録画装置であって、前記制御手段は、前記受像装置側のリモコンのボタンが押下された場合に、前記録画装置を制御して、前記ボタンの押下時以降の前記番組の録画領域を上書き禁止とすることを特徴とする。
【発明の効果】
【０００９】
本発明によれば、制御手段が、ボタンの押下があった場合に、録画装置を制御して、ボタンの押下時以降の録画領域を上書き禁止とするため、受像装置側の操作により即時録画を行った番組を簡便に保存することが可能となるという効果を有する。
【図面の簡単な説明】
【００１０】
【図１】図１は、本発明の受像録画システムの構成を表す構成図である。
【図２】図２は、本発明の受像録画システムの受像装置本体、リモコンおよび録画装置の外観構成を模式的に表した模式図である。
【図３】図３は、ワンタッチ録画ボタンの押下があった場合の動作の流れを表すフローチャートである。
【図４】図４は、ワンタッチ録画ボタンにより即時録画を行う場合に、当該録画領域を上書き禁止に設定する様子を説明する説明図である。
【図５】図５は、保存装置内のデータの編集操作を行う際の受像録画システムの外観構成を説明する説明図である。
【図６】図６は、不連続部分を削除する様子を説明する説明図である。
【発明を実施するための形態】
【００１１】
以下、本発明の実施の形態を図面を参照しながら詳細に説明する。図１は、本発明の受像録画システムの構成を表す構成図である。受像録画システム１００は、番組を受像する受像装置２００と、番組を録画する録画装置３００とからなる。受像装置２００は、受像装置本体２０１と、リモコン２０２などとからなる。録画装置３００は、装置本体３０１と、図示しないリモコンなどとからなる。
【００１２】
受像装置本体２０１は、さらに、番組を受信するチューナー部２１０と、リモコン２０２の操作を受信すると共に受像装置本体２０１に配設されたスイッチ操作を行うスイッチ部２１１と、チューナー部２１０にて受信された番組を表示する表示部２１２と、録画装置本体３０１と通信を行う通信部２１３と、各部を制御する制御部２１４と、からなる。このうち、通信部２１３は、スイッチ部２１１もしくはリモコン２０２の操作、例えば、後述する即時録画（ワンタッチ録画）等の操作命令等を制御部２１４を介して伝達したり、録画装置３００側の情報を取得するなどの、通信を行うものである。
【００１３】
録画装置本体３０１は、番組の画像・音声信号その他の情報を受信するチューナー部３１０と、各種操作の入力を行い、また、その操作状況を表示する入力表示装置３１１と、チューナー部３１０にて受信された番組の画像・音声信号その他の情報を取り込み圧縮する画像取込圧縮装置３１２と、画像取込圧縮装置３１２で取り込み圧縮された番組を保存する保存装置３１３と、保存装置３１３に保存された番組を解凍するデータ解凍装置３１４と、受像装置本体２０１と通信を行う通信部３１５と、各部を制御する制御部３１６と、からなる。
【００１４】
制御装置３１６は、録画装置３００全機能を制御するマイコンまたは高性能ＣＰＵなどのコントローラからなる。画像取込圧縮装置３１２は、画像をキャプチャしＭＰＥＧフォーマットによりデータを圧縮する。圧縮フォーマットは、現在主流のＭＰＥＧ１フォーマットでもよいし、高画質対応のＭＰＥＧ２、低帯域対応のＭＰＥＧ４フォーマットを用いることもできる。また、言うまでもないが、他の圧縮フォーマットを採用することもできる。
【００１５】
データ解凍装置３１４は、画像取込圧縮装置３１２で圧縮されたＭＰＥＧデータ等を、テレビ信号（ＮＴＳＣ方式）にデコードし、テレビでの視聴が可能な信号を出力する。出力された信号は、通信部３１５を通じてもしくは独自のケーブル接続などで受像装置本体２０１の表示部２１２で表示される。
【００１６】
保存装置３１３は、ＨＤＤ、ＤＶＤ、メモリ等の保存メディアからなり、圧縮された番組データ（画像・音声信号その他の情報）を保存する。これらは設定により主電源投入時のチャネルの番組を、または、全チャネルの番組を常時録画する。常時録画は制御装置３１６などの制御により解除することもできる。常時録画する場合には、容量があふれた場合や保存期限が過ぎた場合は、上書きされて、繰り返し録画される。すなわち、常時録画する場合は、エンドレス録画を行うこととなる。
【００１７】
受像装置本体２０１もしくはリモコン２０２には、ユーザが表示部２１２をかいして視聴中の番組を録画装置３００で即時録画（以降において、適宜ワンタッチ録画と称する）する際に使用するスイッチが設けられている。図２は、受像装置本体２０１、リモコン２０２および録画装置３００の外観構成を模式的に表した模式図である。図では、即時録画を行うためのワンタッチ録画ボタンＢ１ａが受像装置本体２０１に、また、ワンタッチ録画ボタンＢ１ｂがリモコン２０１に配設されている様子が表されている。なお、以降において、ワンタッチ録画ボタンＢ１ａおよびワンタッチ録画ボタンＢ１ｂをワンタッチ録画ボタンＢ１と総称することがある。ワンタッチ録画ボタンＢ１は、図では単一のボタンであるが、既存のボタンの組み合わせ、例えばチャネルアップダウンボタンの同時押しや、ボリュームアップダウンボタンの同時押しなどの、既存ボタンの組み合わせ操作として設定することもできる。
【００１８】
次に、ワンタッチ録画ボタンＢ１の押下があった場合の動作の流れについて説明する。図３は、ワンタッチ録画ボタンＢ１の押下があった場合の動作の流れを表すフローチャートである。ワンタッチ録画ボタンＢ１の押下があると（ステップＳ５０１）、受像装置２００の通信部２１３は、録画装置３００の通信部３１５と通信を行い、録画装置本体３０１の主電源がＯＮであるかどうかをチェックする（ステップＳ５０２）。録画装置本体３０１の主電源がＯＦＦの場合（ステップＳ５０１：ＮＯ）、録画装置本体３０１の制御装置３１６は、録画装置３００の主電源をＯＮにする（ステップＳ５０３）。
【００１９】
録画装置３０１の主電源がＯＮである場合（ステップＳ５０２：ＹＥＳ）、もしくはステップＳ５０３で録画装置の主電源がＯＮとされた場合には、受像装置２００の通信部２１３は、受像装置本体２０１の表示部２１２で表示中の番組のチャネル情報を録画装置３００の通信部３１５に送信し、録画装置３００の通信部３１５は、このチャネル情報を受信する（ステップＳ５０４）。続いて、チャネル情報を基に録画装置３００の制御装置３１６は、チューナー部３１０の受信するチャネルを設定変更する（ステップＳ５０５）。設定変更後、保存装置３１３は番組の録画を開始する（ステップＳ５０６）。
【００２０】
ステップＳ５０１におけるワンタッチ録画ボタンＢ１の押下から、ステップＳ５０６における録画開始までの時間は、電気的な情報の送受信なので短時間で録画を開始できる。従来では、例えばテレビを見ようと電源スイッチを入れたところ保存したい番組を放送していた場合等、即時に録画したい場合であっても、現在のチャネルを確認し、ビデオデッキ側のリモコンを探し、ビデオデッキの主電源を入れ、チャネル合わせを行い、録画用の空きテープを探してセットし、録画を開始するという手順が必要であり、一連の操作をユーザが行っていたため、操作が面倒で録画するのをやめたり、準備ができたときには既に録画したい番組内容が終了してしまっているということも起こっていた。受像録画システム１００によればこの様な煩雑な操作は不要で、手元にある受像装置２００のリモコン２０２のスイッチの押下により、リモコン２０２の所在が不明の場合でも、受像装置本体のスイッチの押下により、簡便に即時録画が可能となる。
【００２１】
また、ワンタッチ録画ボタンＢ１に代えて、例えば表示部２１２がタッチパネルとなっており、適宜、録画指示領域を設け、タッチパネルの押下により即時録画を行う構成を採ることもできる。
【００２２】
一方、本発明の受像録画システム１００は、現在開発が進められている常時録画型のビデオデッキ（録画装置）に対しても適用可能である。例えば、常時録画モードを選択し忘れた場合に即時録画を開始したり、常時録画している裏番組を視聴していて当該番組を即時録画する場合にも、簡便に録画操作を行うことができる。
【００２３】
ワンタッチ録画ボタンＢ１により即時録画を行う場合、その録画部分はユーザにとり重要であり、長期間保存したい場合が多い。従って、本発明の受像録画システム１００は、ワンタッチ録画ボタンＢ１により即時録画を行った場合は、当該録画領域を上書き禁止に設定する。図４は、ワンタッチ録画ボタンＢ１により即時録画を行う場合に、当該録画領域を上書き禁止に設定する様子を説明する説明図である。図では、番組内容Ａ１、Ａ２、Ａ３から構成される番組Ａ、番組中途に挿入されるコマーシャルＣ１、Ｃ２および、番組Ｂが放送されている様子が表されている。
【００２４】
ワンタッチ録画ボタンＢ１が番組内容Ａ２の中途で押下された場合は、制御部３１６を介して、保存装置３１３は、Ａ２が終了するまでの録画領域を上書き禁止領域とする（録画状態（ａ）参照）。また、常時録画を行っている場合では、番組の内容などの情報を表す構造化データをもとに、同一番組内容の領域を識別し、Ａ２の中途にワンタッチ録画Ｂ１の押下があった場合でも、番組内容Ａ２の頭から上書き禁止に設定することもできる（録画状態（ｂ）参照）。同一番組内容であるか否かの識別は制御装置３１６で行う。また、設定によっては、番組Ａのはじめから番組Ａの終わりまで、すなわち、番組内容Ａ１から番組内容Ａ３までを上書き禁止領域に設定することもできる。この場合中途に挿入される、ＣＭ（Ｃ１）は、容量節約のため、上書き可能領域に設定する。
【００２５】
受像録画システム１００は、長期にわたって使用されると、細切れに録画等により、データの連続性が損なわれてくる。この傾向は、上書き可能・禁止の設定により著しくなる。連続性が悪くなると、保存メディアとして、例えばＤＶＤなどを使用した場合にアクセス性が悪くなることを意味し、好ましくない。従って、受像録画システム１００には編集機能が必須となる。この場合でも、受像録画システム１００は、受像装置２００と録画装置３００とがそれぞれに有する通信部２１３−通信部３１５間で通信を行うので、簡便な編集作業が可能となる。以下に、編集作業について説明する。
【００２６】
受像録画システム１００は、受像装置本体２０１もしくはリモコン２０２の操作を通じて、保存装置３１３の編集操作を可能とする。図５は、保存装置内のデータの編集操作を行う際の受像録画システム１００の外観構成を説明する説明図である。編集時には、保存装置３１３内の保存メディアの断片情報や、上書き禁止領域の情報、録画されている番組の情報、未録画部分の情報など様々なディスク情報の中から、表示部２１２は、通信部３１５および通信部２１３を介して保存メディアの構造（タグや検索のための区切りデータ）を表示する。
【００２７】
なお、保存メディアの断片情報や、上書き禁止領域の情報、録画されている番組の情報、未録画部分の情報などは、インデックス的な情報なので情報量が番組自体の画像・音声データに比して著しく小さい。従って、通信部３１５−通信部２１３間の通信量が少ないため、制御部２１４や制御装置３１６の処理負担が少なくてすむ。
【００２８】
なお、特開平１０−７９９１６号公報「映像録画装置」では、長時間録画が可能な映像録画装置において、録画した番組の全体を一望でき、必要な番組を素早く再生（頭出し）可能とする技術が開示されている。しかしながら、録画装置と受像装置との通信により録画装置側から操作を行うものでもなく、また、上書き可能／禁止設定による番組の断片化を改善する技術でもない。従って、特開平１０−７９９１６号公報「映像録画装置」は受像録画システム１００と異なる発明である。
【００２９】
編集に必要な各種操作を行うのが複雑な場合は、表示部２１２の画面内で作業を選択させるマークを表示させ、受像装置本体２０１上に配設された選択ボタンＢ２ａもしくはリモコン２０２上に配設された選択ボタンＢ２ｂの上下左右ボタンなどで作業を選択し、受像装置本体２０１上に配設された決定ボタンＢ３ａもしくはリモコン２０２上に配設された選択ボタンＢ３ｂで、選択を決定する。これにより、操作性が増し、ユーザの利便性が向上する。
【００３０】
具体的な編集操作として、保存メディアの断片化が生じている場合のマージ操作／削除操作について説明する。図５において、表示部２１２では、画面下部に断片化が起こっている部分が矢印で指摘されており、削除操作が選択されている様子が表されている。この場合決定ボタンＢ３が押下されることにより、不連続な部分は削除される。図６は不連続部分を削除する様子を説明する説明図である。不連続部分の削除は、コンピュータのハードディスクのデフラグ作業に相当する。なお、保存メディアの断片化が生じている場合のマージ操作／削除操作は、自動的に行う態様であってもよい。
【００３１】
その他の例としては、保存メディアが低速な大容量メモリと、高速な少容量メモリからなる場合に、長期間保存したい番組内容を常時録画に割り当てられる大容量メモリから、少容量メモリに配置換えすることもできる。この際、圧縮保存を行ってもよい。
【００３２】
受像録画システム１００は、受像装置２００側からワンタッチ録画を行う構成とするので、従来のように録画装置の設定を行う必要がなく、急に録画したい番組内容が始まった場合でも簡便に録画が可能となる。また、この様な即時録画を行う必要のある番組は、そのまま保存しておきたいので、上書き禁止に設定し、ユーザが誤って上書きを行うことが無くなる。また、受像録画システム１００は、受像装置２００と録画装置３００間で通信を行うので、保存装置３１３内の保存メディアの状態を表示部２１２に表示させ、この表示を見ながら、受像装置２００側のボタン操作により、マージ操作、削除操作などの簡単な編集作業も可能となる。
【符号の説明】
【００３３】
１００  受像録画システム
２００  受像装置
２０１  受像装置本体
２０２  リモコン
２１０  チューナー部
２１１  スイッチ部
２１２  表示部
２１３  通信部
２１４  制御部
３００  録画装置
３０１  録画装置本体
３１０  チューナー部
３１３  保存装置
３１５  通信部
３１６  制御装置
Ｂ１、Ｂ１ａ、Ｂ１ｂ  ワンタッチ録画ボタン
Ｂ２、Ｂ２ａ、Ｂ２ｂ  選択ボタン
Ｂ３、Ｂ３ａ、Ｂ３ｂ  決定ボタン
【図１】
2010171996.tif 000003
【図２】
2010171996.tif 000004
【図３】
2010171996.tif 000005
【図４】
2010171996.tif 000006
【図５】
2010171996.tif 000007
【図６】
2010171996.tif 000008